(57)【要約】  本発明は、化学薬剤を使用しなくても高い防除効果が得られるコナジラミ類の防除方法を提供すること課題とする。  ナノバブル水を植物体に施用する、コナジラミ類の防除方法。【特許請求の範囲】
【請求項１】
ナノバブル水を植物体に施用する、コナジラミ類の防除方法。
【請求項２】
前記ナノバブル水を用いた散水、および、前記ナノバブル水を用いて希釈した培養液の培地への供給のうち、少なくとも一方を実施する、請求項１に記載のコナジラミ類の防除方法。
【請求項３】
前記ナノバブル水に含まれる気泡の最頻粒子径が１０〜５００ｎｍである、請求項１または２に記載のコナジラミ類の防除方法。
【請求項４】
前記ナノバブル水に含まれる気泡が、酸素、窒素、二酸化炭素およびオゾンからなる群から選択される少なくとも１種の気体を含む、請求項１〜３のいずれかに記載のコナジラミ類の防除方法。
【請求項５】
前記ナノバブル水が、１×１０８〜１×１０１０個／ｍＬの気泡を有する、請求項１〜４のいずれかに記載のコナジラミ類の防除方法。
【請求項６】
前記植物体が、果菜類である、請求項１〜５のいずれかに記載のコナジラミ類の防除方法。
【請求項７】
前記植物体が、トマトまたはキュウリである、請求項６に記載のコナジラミ類の防除方法。
【発明の詳細な説明】
【技術分野】
【０００１】
本発明は、コナジラミ類の防除方法に関する。
【背景技術】
【０００２】
コナジラミ類の防除方法として、クロチアニジン等の化学薬剤を植物体に施用する方法が知られている。
特許文献１には、「クロチアニジンとＮ−(２−エチルヘキシル)−５−ノルボルネン−２，３−ジカルボキシイミドとの有効量を、コナジラミ類またはコナジラミ類の生息場所に施用するコナジラミ類の防除方法」が記載されている。【０００３】
一方で、クロチアニジンを含むネオニコチノイド系農薬の使用は、ミツバチ等の益虫に対しても危害を与えることが懸念される等の問題があり、持続可能な農業が志向される昨今では、化学薬剤を使用しなくても高い効果が得られるコナジラミ類の防除方法が強く求められている。
【先行技術文献】
【特許文献】
【０００４】
【特許文献１】特開２０１１−４６６５５号公報
【発明の概要】
【発明が解決しようとする課題】
【０００５】
そこで、本発明は、化学薬剤を使用しなくても高い防除効果が得られるコナジラミ類の防除方法の提供を課題とする。
【課題を解決するための手段】
【０００６】
本発明者は、上記課題を達成すべく鋭意検討した結果、植物体にナノバブル水を施用することにより、化学薬剤を使用しなくても、コナジラミ類の防除効果が高くなることを見出し、本発明を完成させた。
すなわち、本発明者は、以下の構成により上記課題を達成することができることを見出した。【０００７】
［１］  ナノバブル水を植物体に施用する、コナジラミ類の防除方法。
［２］  上記ナノバブル水を用いた散水、および、上記ナノバブル水を用いて希釈した培養液の培地への供給のうち、少なくとも一方を実施する、［１］に記載のコナジラミ類の防除方法。
［３］  上記ナノバブル水に含まれる気泡の最頻粒子径が１０〜５００ｎｍである、［１］または［２］に記載のコナジラミ類の防除方法。
［４］  上記ナノバブル水に含まれる気泡が、酸素、窒素、二酸化炭素およびオゾンからなる群から選択される少なくとも１種の気体を含む、［１］〜［３］のいずれかに記載のコナジラミ類の防除方法。
［５］  上記ナノバブル水が、１×１０８〜１×１０１０個／ｍＬの気泡を有する、［１］〜［４］のいずれかに記載のコナジラミ類の防除方法。
［６］  上記植物体が、果菜類である、［１］〜［５］のいずれかに記載のコナジラミ類の防除方法。
［７］  上記植物体が、トマトまたはキュウリである、［６］に記載のコナジラミ類の防除方法。
【発明の効果】
【０００８】
本発明によれば、化学薬剤を使用しなくても、高い防除効果を得ることができるコナジラミ類の防除方法を提供できる。
【図面の簡単な説明】
【０００９】
【図１】ナノバブル生成装置の一例を示す模式図である。
【発明を実施するための形態】
【００１０】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１１】
本発明のコナジラミ類の防除方法（以下、「本発明の防除方法」とも略す。）は、ナノバブル水を植物体に施用する、コナジラミ類の防除方法である。
ここで、コナジラミ類としては、例えば、オンシツコナジラミ（Trialearodes vaporariorum）、タバココナジラミ（Bemisia tabaci）、シルバーリーフコナジラミ（Bemisia argentifolii）、および、ミカントゲコナジラミ（Aleurocanthus spiniferus）等が挙げられるが、上記に制限されない。
以下に、本発明の防除方法で用いるナノバブル水および任意の成分について詳述する。
【００１２】
〔ナノバブル水〕
本発明の防除方法で用いるナノバブル水は、直径が１μｍ未満の気泡を含む水であって、上記気泡を混入させた水である。なお、「上記気泡を混入させた水」とは、ナノバブル水の生成に使用する水（例えば、不純物を含む井水）などに起因して不可避的に含まれる上記気泡を含む水を除外する意図である。
ここで、ナノバブル水に含まれる気泡の直径（粒子径）、ならびに、後述する気泡の最頻粒子径および気泡の個数は、水中の気泡のブラウン運動移動速度を、ナノ粒子トラッキング解析法を用いて測定した値であり、本明細書においては、ナノ粒子解析システム ナノサイトシリーズ（NanoSight社製）により測定した数値を採用する。
なお、ナノ粒子解析システム ナノサイトシリーズ（NanoSight社製）では、直径（粒子径）は、粒子のブラウン運動の速度を計測し、その速度から算出することができ、最頻粒子径は、存在するナノ粒子の粒子径分布から、モード径として確認することができる。
【００１３】
本発明においては、コナジラミ類の防除効果がより向上する理由から、上記ナノバブル水に含まれる気泡の最頻粒子径が１０〜５００ｎｍであることが好ましく、３０〜３００ｎｍであることがより好ましく、７０〜１３０ｎｍであることが更に好ましい。
【００１４】
上記ナノバブル水に含まれる気泡を構成する気体は特に限定されないが、水中に長時間残存させる観点から、水素以外の気体が好ましく、具体的には、例えば、空気、酸素、窒素、フッ素、二酸化炭素、および、オゾンなどが挙げられる。
これらのうち、コナジラミ類の防除効果がより向上する理由から、酸素、窒素、二酸化炭素およびオゾンからなる群から選択される少なくとも１種の気体を含むことが好ましく、特に、植物体の生育が良好となり、また、気泡がより長時間残存することができる理由から、酸素を含むことがより好ましい。
ここで、酸素を含むこととは、空気中の酸素濃度よりも高い濃度で含むことをいう。窒素、および、二酸化炭素も同様である。なお、酸素の濃度については、気泡中の３０体積％以上であることが好ましく、５０体積％超１００体積％以下であることが好ましい。
【００１５】
上記ナノバブル水は、コナジラミ類の防除効果がより向上する理由から、１×１０８〜１×１０１０個／ｍＬの気泡を有していることが好ましく、特に、気泡の生成時間と気泡の残存性のバランスが良好となる理由から、１×１０８個／ｍＬより多く、１×１０１０個／ｍＬより少ない気泡を有していることがより好ましく、５×１０８〜５×１０９個／ｍＬの気泡を有していることが更に好ましい。特に、ナノバブル水の気泡が５×１０８個／ｍＬを超えると、従来の栽培方法において必要とされてきた農薬の散布が不要となる等の効果がより顕著に奏され、ナノバブル水によるコナジラミ類の防除効果を十分に享受することが可能となる。
【００１６】
上記ナノバブル水は、水および気泡以外の他の成分を含んでいてもよい。
上記他の成分としては、例えば、肥料および農薬等が挙げられる。ナノバブル水中における他の成分の種類、および、含有量は特に限定されず、目的に応じて選択可能である。
ただし、本発明においては、上記他の成分として、上記ナノバブル水中にラジカルを実質的に含まないことが好ましい。なお、「ラジカルを実質的に含まない」とは、上記ナノバブル水の生成に使用する水（例えば、不純物を含む井水）などに起因して不可避的にラジカルが含まれることを除外する意図ではなく、何らかの操作で生成させたラジカルを混入させることを除外する意図である。
また、本発明の防除方法は、化学薬剤を使用しなくても高い防除効果を有するため、ナノバブル水は化学薬剤を含む農薬を含まなくてもよい。
【００１７】
上記ナノバブル水の生成方法としては、例えば、スタティックミキサー法、ベンチュリ法、キャビテーション法、蒸気凝集法、超音波法、旋回流法、加圧溶解法、および、微細孔法等が挙げられる。
ここで、本発明の防除方法は、上記ナノバブル水を施用する前に、上記ナノバブル水を生成させる生成工程を有していてもよい。すなわち、本発明の防除方法は、例えば、貯水タンク、井戸、もしくは農業用水などの水源から水をナノバブル生成装置に取り込み、ナノバブル水を生成させる生成工程と、生成したナノバブル水を施用する施用工程とを有する防除方法であってもよい。なお、水源からの水をナノバブル生成装置に取り込む手法としては、例えば、桶またはポンプ等を用いて水源から汲み上げた水をナノバブル生成装置に供給する手法；水源とナノバブル生成装置との間に敷設された流路をナノバブル生成装置に繋ぎ、流路からナノバブル生成装置へ水を直接送り込む手法；などが挙げられる。
【００１８】
また、上記ナノバブル水の生成方法としては、意図的にラジカルを発生させることがない装置を用いた生成方法が好ましく、具体的には、例えば、特開２０１８−１５７１５号公報の［００８０］〜［０１００］段落に記載されたナノバブル生成装置を用いて生成する方法が挙げられる。なお、上記の内容は本明細書に組み込まれる。
【００１９】
意図的にラジカルを発生させることがない他のナノバブル生成装置としては、例えば、水を吐出する液体吐出機と、液体吐出機から吐出された水に、気体を加圧して混入させる気体混入機と、気体を混入させた水を内部に通すことにより水中に微細気泡を生成する微細気泡生成器と、を有する微細気泡生成装置であって、上記気体混入機が、上記液体吐出機と上記微細気泡生成器の間において、加圧された状態で上記微細気泡生成器に向かって流れる液体に、気体を加圧して混入させる微細気泡生成装置が挙げられる。具体的には、図１に示すナノバブル生成装置を用いて生成する方法が挙げられる。
ここで、図１に示すナノバブル生成装置１０は、その内部に液体吐出機３０、気体混入機４０、および、ナノバブル生成ノズル５０を備える。
また、液体吐出機３０は、ポンプによって構成され、ナノバブル水の原水（例えば、井戸水）を取り込んで吐出する。気体混入機４０は、圧縮ガスが封入された容器４１と、略筒状の気体混入機本体４２とを有し、液体吐出機３０から吐出された水を気体混入機本体４２内に流しつつ、気体混入機本体４２内に容器４１内の圧縮ガスを導入する。これにより、気体混入機本体４２内で気体混入水が生成されることになる。
また、ナノバブル生成ノズル５０は、その内部に気体混入水が通過することにより、加圧溶解の原理に従って気体混入水中にナノバブルを発生させるものであり、その構造としては、特開２０１８−１５７１５号公報に記載されたナノバブル生成ノズルと同じ構造が採用できる。ナノバブル生成ノズル５０内に生成されたナノバブル水は、ナノバブル生成ノズル５０の先端から噴出した後、ナノバブル生成装置１０から流出し、不図示の流路内を通じて所定の利用先に向けて送水される。
以上のようにナノバブル生成装置１０では、気体混入機４０が、液体吐出機３０とナノバブル生成ノズル５０の間において、加圧された状態でナノバブル生成ノズル５０に向かって流れる水（原水）に、圧縮ガスを混入させる。これにより、液体吐出機３０の吸込み側（サクション側）で気体を水に混入させるときに生じるキャビテーション等の不具合を回避することができる。また、ガスが加圧（圧縮）された状態で水に混入されるので、ガス混入箇所での水の圧力に抗してガスを混入させることができる。このため、ガス混入箇所において特に負圧を発生させなくとも、ガスを適切に水に混入させることが可能となる。
さらに、液体吐出機３０のサクション側に、井戸または水道等の水源から供給される水の流路が繋ぎ込まれており、その流路において液体吐出機３０の上流側から液体吐出機３０に流れ込む水の圧力（すなわち、サクション側の水圧）が正圧であるとよい。この場合には、上記の構成がより有意義なものとなる。すなわち、液体吐出機３０の上流側の水圧（サクション圧）が正圧となる場合には、液体吐出機３０の下流側でガスを水に混入させることになるため、液体吐出機３０の下流側でもガスを適切に水に混入させることができるナノバブル生成装置１０の構成がより際立つことになる。
【００２０】
また、上記ナノバブル水の生成に使用する水は特に限定されず、例えば、雨水、水道水、井水、農業用水、および、蒸留水等を使用することができる。
このような水は、ナノバブル水の発生に供される前に他の処理を施されたものであってもよい。他の処理としては、例えば、ｐＨ調整、沈殿、ろ過、および、滅菌（殺菌）等が挙げられる。具体的には、例えば、農業用水を使用する場合、典型的には、沈殿およびろ過のうちの一方の処理が施された後に使用してもよい。
【００２１】
本発明において、上記ナノバブル水の植物体への施用態様は、植物体の栽培方法により異なるため特に限定されないが、例えば、土耕栽培において上記ナノバブル水を散水する態様、土耕栽培において上記ナノバブル水によって希釈された農薬を散布する態様、養液栽培（水耕、噴霧耕、固形培地耕）または養液土耕栽培（灌水同時施肥栽培）において上記ナノバブル水によって希釈された培養液を培地に供給する態様、および、養液土耕栽培において上記ナノバブル水をそれ単独で散水（灌水）する態様などが挙げられる。
これらのうち、操作が簡便であり、コナジラミ類の防除効果がより向上する理由から、上記ナノバブル水を用いた散水、および、上記ナノバブル水を用いて希釈した培養液の培地への供給のうち、少なくとも一方を実施する態様が好ましい。
なお、施用の一態様である「散水」の方法は特に限定されず、栽培方法が土耕栽培である場合には、例えば、植物体の全体に水を散布する方法、植物体の一部（例えば、茎または葉など）に水を散布する方法、植物体が植えられた土壌に水を散布する方法などが挙げられる。また、栽培方法が養液土耕栽培である場合は、上述したように、灌水による散水であってもよい。
【００２２】
また、本発明においては、上記ナノバブル水の植物体への施用時期は、施用態様および植物体の種類により異なるため特に限定されないが、例えば、果菜類を土耕栽培する場合は、播種から収穫までの全期間であってもよく、一定期間（例えば、播種および育苗期）のみに施用してもよい。
【００２３】
本発明においては、上記ナノバブル水を施用する植物体は、コナジラミ類が寄生する、または、寄生する可能性がある植物体であればよい。
このような植物体としては、例えば、ナス科植物（例えば、ナス、ペピーノ、トマト（ミニトマトを含む）、タマリロ、トウガラシ、シシトウガラシ、ハバネロ、ピーマン、パプリカ、カラーピーマンなど）、ウコギ科植物（例えば、タカノツメなど）、ウリ科植物（例えば、カボチャ、ズッキーニ、キュウリ、ツノニガウリ、シロウリ、ゴーヤ、トウガン、ハヤトウリ、ヘチマ、ユウガオ、スイカ、メロン、マクワウリなど）、アオイ科植物（例えば、オクラなど）、および、バラ科植物（例えば、イチゴなど）等の果菜類；
イネ、ムギ、および、トウモロコシ等の穀物類；
アズキ、インゲンマメ、エンドウ、エダマメ、ササゲ、シカクマメ、ソラマメ、ダイズ、ナタマメ、ラッカセイ、レンズマメ、および、ゴマ等のマメ類；
アイスプラント、アシタバ、カラシナ、キャベツ、クレソン、ケール、コマツナ、サラダナ、サニーレタス、サイシン、サンチュ、山東菜、シソ、シュンギク、ジュンサイ、シロナ、セリ、セロリ、タアサイ、ダイコンナ（スズシロ）、タカナ、チシャ、チンゲンサイ、ツケナ、菜の花、野沢菜、白菜、パセリ、ハルナ、フダンソウ、ホウレンソウ、ホトケノザ、ミズナ、ミドリハコベ、コハコベ、ウシハコベ、ミブナ、ミツバ、メキャベツ、モロヘイヤ、リーフレタス、ルッコラ、レタス、および、ワサビナ等の葉菜類；
ネギ、細ネギ、アサツキ、ニラ、アスパラガス、ウド、コールラビ、ザーサイ、タケノコ、ニンニク、ヨウサイ、ネギ、ワケギ、および、タマネギ等の茎菜類；
アーティチョーク、ブロッコリー、カリフラワー、食用菊、なばな、フキノトウ、および、ミョウガなどの花菜類；
スプラウト、モヤシ、および、かいわれ大根等の発芽野菜；
カブ、ダイコン、ハツカダイコン、ワサビ、ホースラディッシュ、ゴボウ、チョロギ、ショウガ、ニンジン、ラッキョウ、レンコン、および、ユリ根等の根菜類；
サツマイモ、サトイモ、ジャガイモ、ナガイモ（大和芋）、および、ヤマノイモ等のイモ類；
ミカン科植物（例えば、ミカンなど）、バラ科植物（例えば、リンゴ、モモ、スモモ、ヤマモモ、カリン、ナシ、西洋ナシ、ウメ、アンズ、サクランボ、キイチゴ、ラズベリー、ブラックベリー、ビワなど）、バショウ科植物（例えば、バナナなど）、ブドウ科植物（例えば、ブドウなど）、グミ科植物（例えば、グミなど）、ツツジ科植物（例えば、ブルーベリーなど）、クワ科植物（例えば、クワ、イチジクなど）、カキノキ科植物（例えば、カキなど）、アケビ科植物（例えば、アケビなど）、ウルシ科植物（例えば、マンゴーなど）、クスノキ科植物（例えば、アボカドなど）、クロウメモドキ科植物（例えば、ナツメなど）、ミソハギ科植物（例えば、ザクロなど）、トケイソウ科植物（例えば、パッションフルーツなど）、パイナップル科植物（例えば、パイナップルなど）、パパイア科植物（例えば、パパイアなど）、マタタビ科植物（例えば、キウイフルーツなど）、ブナ科植物（例えば、クリなど）、アカテツ科植物（例えば、ミラクルフルーツなど）、フトモモ科植物（例えば、グァバなど）、カタバミ科植物（例えば、スターフルーツなど）、および、キントラノオ科（例えば、アセロラなど）等の果樹類；
等が挙げられる。
【００２４】
これらのうち、より優れた本発明の効果が得られる点で、果菜類が好ましく、ナス科植物がより好ましく、ナス、キュウリまたはトマトが更に好ましく、トマトまたはキュウリが特に好ましい。
【実施例】
【００２５】
以下に、実施例を挙げて本発明を更に詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。【００２６】
（試験１）
＜試験の内容＞
試験１は、２０１７年の８月〜１２月にかけて山梨県中央市で栽培したトマト（品種：桃太郎ヨーク、タキイ種苗）の農業ハウスにおいて、以下の区分により実施した。
試験区１−１：トマトの水耕栽培（培地：ロックウール）における培養液の希釈に、下記の方法で生成したナノバブル水を用いた。
試験区１−２：トマトの水耕栽培（培地：ロックウール）における培養液の希釈に、井戸水を使用し、ナノバブル水を用いなかった。
各試験区は、隣り合う農業ハウスで区画し、各農業ハウスにおいて２８００株のトマトを栽培した。
なお、培養液および量は、常法に従い、トマトの生育状況、および、天候等に応じて適宜変更したが、両試験区で概ね同様となるように調整した。また、トマトの定植前に、両試験区ともに、農業ハウス全体を塩素系薬剤で殺菌消毒を４回施した。１回あたりの塩素系薬剤の量は、３００Ｌ／１０ａで行った。【００２７】
＜ナノバブル水の生成方法＞
ナノバブル水は、ナノバブル生成装置〔株式会社カクイチ製作所 アクアソリューション事業部（現：株式会社アクアソリューション）製、１００Ｖ，１０Ｌ／ｍｉｎタイプ〕を用いて加圧溶解方式にて水中に気泡（ナノバブル）を発生させることで生成した。
なお、ナノバブル水の生成用に使用した水には、井戸水を用い、気泡を構成する気体には、酸素（工業用酸素、濃度：９９．５体積％）を用いた。
また、上記のナノバブル生成装置を用いてナノバブルを発生させる条件は、ナノ粒子解析システム ナノサイトＬＭ１０（NanoSight社製）による解析結果が以下となる条件で行った。
・水１ｍＬ当たりの気泡の数：５×１０８個／ｍＬ
・気泡の最頻粒子径：１００ｎｍ【００２８】
＜コナジラミ類の防除効果の評価＞
各農業ハウスで栽培したトマトについて、任意に選択した１５株におけるコナジラミ類の成虫数を１１月上旬に調査した。結果は、下記の表１に示すとおりである。同表中、「寄生なし」とは、１５株のすべてにおいてコナジラミ類の寄生が見られなかった、または、１株につき平均して１〜２匹程度のコナジラミ類の寄生が見られたことを意味する。他方、「寄生あり」とは、１５株のいずれにおいても平均して１０匹以上のコナジラミ類の寄生が見られたことを意味する。【００２９】
【表１】
2019230753.tif 000002
【００３０】
（試験２）
＜試験の内容＞
試験２は、２０１８年の７月〜１０月にかけて長野県小諸市にあるキュウリ（品種：夏涼み）の圃場において、以下の３区分により実施した。各試験区は、同一のビニールハウス内に設定されている。
試験区２−１：ビニールハウス栽培にてキュウリを栽培し、毎日の散水に、ナノバブル水ではない通常の農業用水を用いた。
試験区２−２：ビニールハウス栽培にてキャベツを栽培し、毎日の散水に、水１ｍＬ当たりの気泡数が２×１０８個／ｍＬに調整されたナノバブル水を用いた。
試験区２−３：ビニールハウス栽培にてキャベツを栽培し、毎日の散水に、水１ｍＬ当たりの気泡数が５×１０８個／ｍＬに調整されたナノバブル水を用いた。
各試験区では、それぞれ、５株のキュウリの苗を７月１９日に定植し、常法に従ってキュウリを栽培した。また、各回の散水の頻度および量については、天候に応じて適宜変更したが、調整３つの試験区で概ね同様となるように調整した。また、試験２では、ナノバブル水１ｍＬ中の気泡数による優位性を試験するために、通常の栽培法では実施される農薬の散布を意図的に実施しなかった。【００３１】
＜ナノバブル水の生成方法＞
ナノバブル水は、試験１と同様のナノバブル生成装置を用い、農業用水中に気泡（ナノバブル）を発生させることで生成した。ナノバブル水１ｍＬ当たりの気泡数は、前述したように試験区２−２では２×１０８個／ｍＬとし、試験区２−３では５×１０８個／ｍＬとした。ナノバブル水１ｍＬ当たりの気泡数は、例えば、上記のナノバブル生成装置の下流側にナノバブル水の貯留槽を設置し、貯留槽内のナノバブル水をナノバブル生成装置に返送してナノバブル水を系内で循環させ、その循環時間を変えることで調整可能である。
それ以外のナノバブル水の生成条件は、試験１と試験２の間で同一である。【００３２】
＜コナジラミ類の防除効果の評価＞
各試験区につき、５株のそれぞれから任意に選択した２０枚の葉におけるコナジラミ類の成虫数を栽培期間中（厳密には、収穫終了時点まで）に定期的に調査し、試験区毎の合計値を求めた。各試験区における評価結果は、下記の表２に示すとおりである。【００３３】
【表２】
2019230753.tif 000003
【００３４】
上記の評価結果から明らかなように、全試験区においてコナジラミ類の成虫が確認されたが、その数は、ナノバブル水を施用しなかった試験区２−１において最も多かった。
これに対し、ナノバブル水を施用した試験区２−２および２−３では、コナジラミ類の成虫数が、試験区２−１よりも少なかった。また、ナノバブル水１ｍＬ中の気泡数が２×１０８個／ｍＬである試験区２−２よりも、５×１０８個／ｍＬである試験区２−３の方が、農薬を散布していないにもかかわらず、コナジラミ類の成虫数がより少なくなることが明らかとなった。
以上までに説明したように、試験１および試験２の試験結果から、ナノバブル水によるコナジラミ類の防除効果が明らかとなった。
【符号の説明】
【００３５】
１０  ナノバブル生成装置
３０  液体吐出機
４０  気体混入機
４１  容器
４２  気体混入機本体
５０  ナノバブル生成ノズル
【図１】
2019230753.tif 000004
【国際調査報告】
2019230753.tif 000005
2019230753.tif 000006
2019230753.tif 000007